(57)【特許請求の範囲】
【請求項１】
スチレンの重合を抑制及び阻害する添加剤組成物であって、
当該添加剤組成物はアミン及びキノンメチドからなり、
前記アミンはトリイソプロパノールアミン（ＴＩＰＡ）、プロポキル化エチレンジアミン（ＰＥＤ）、トリエタノールアミン（ＴＥＡ）、トリブチルアミン（ＴＢＡ）、ジエタノールアミン（ＤＥＡ）、モノエタノールアミン（ＭＥＡ）及びこれらの組み合わせからなるグループから選択される、
添加剤組成物。
【請求項２】
前記アミンはトリイソプロパノールアミン（ＴＩＰＡ）、プロポキル化エチレンジアミン（ＰＥＤ）、及びトリエタノールアミン（ＴＥＡ）、及びこれらの組み合わせからなるグループから選択される、請求項1に記載の添加剤組成物。
【請求項３】
前記アミンはトリブチルアミン（ＴＢＡ）である、請求項1に記載の添加剤組成物。
【請求項４】
前記アミンはジエタノールアミン（ＤＥＡ）及びモノエタノールアミン（ＭＥＡ）及びこれらの組み合わせからなるグループから選択される、請求項1に記載の添加剤組成物。
【請求項５】
スチレンの重合を抑制及び阻害する添加剤組成物であって、
当該添加剤組成物は酸化物処理したアミンの誘導体及びキノンメチドからなり、
前記酸化物処理したアミンの誘導体は酸化エチレン、酸化プロピレン及び酸化ブチレン処理したアミンの誘導体からなるグループから選択される、
添加剤組成物。
【請求項６】
前記酸化物処理したアミンの誘導体はN,N,ジｓｅｃ−ブチル−パラ−フェニレンジアミンのエトキシル化誘導体（ＵＯＰ５＋ＥＯ）である、請求項５に記載の添加剤組成物。
【請求項７】
前記組成物は９９：１乃至５０：５０、９９：１乃至８５：１５、９９：１乃至９０：１０、及び９５：５乃至９０：１０の重量パーセント比からなるグループから選択される重量パーセント比でキノンメチド及び前記アミンもしくは酸化物処理したアミンの誘導体からなる、請求項１乃至６のいずれか一項に記載の添加剤組成物。
【請求項８】
前記キノンメチドが４−ベンジリデン−２，６−ジ−ｔｅｒｔ−ブチルシクロヘキサ−２，５ジエノンである、請求項１乃至７のいずれか一項に記載の添加剤組成物。
【請求項９】
請求項１乃至８のいずれか一項に記載のスチレンの重合を抑制及び阻害する添加剤組成物の製造方法であって、当該製造方法はキノンメチド及び前記アミンもしくは前記酸化物処理したアミンの誘導体を請求項７に記載の重量パーセント比で混合することを有する、製造方法。
【請求項１０】
請求項１乃至８のいずれか一項に記載のスチレンの重合を抑制及び阻害する添加剤組成物の使用方法であって、当該使用方法はキノンメチド及び前記アミンもしくは前記酸化物処理したアミンの誘導体の請求項７に記載の重量パーセント比での混合物からなる組成物をスチレン重合の反応装置に添加することを有する、使用方法。
【請求項１１】
請求項１乃至８のいずれか一項に記載のスチレンの重合を抑制及び阻害する添加剤組成物の使用方法であって、当該使用方法は成分ａ）キノンメチド及び成分ｂ）前記アミンもしくは前記酸化物処理したアミンの誘導体を請求項７に記載の重量パーセント比でスチレン重合の反応装置に別々に添加することを有する、使用方法。
【請求項１２】
前記組成物を、スチレンの重合における反応材料の重量に基づき１乃至１２００ｐｐｍ、１乃至４００ｐｐｍ、１５０乃至３００ｐｐｍ、及び２００乃至３００ｐｐｍの量からなるグループから選択される量で使用する、請求項１０又は１１に記載の方法。
【請求項１３】
前記組成物を６０乃至１７０℃、及び９０乃至１４０℃の温度からなるグループから選択される温度範囲で使用する、前記請求項１０乃至１２のいずれか一項に記載の方法。
【発明の詳細な説明】
【技術分野】
【０００１】
発明の分野：
本発明はモノマー、特にスチレン、の重合を抑制及び阻害する添加剤組成物に関する。
【０００２】
一実施形態において、本発明はモノマー、特にスチレン、の重合を抑制及び阻害する添加剤組成物の製造方法に関する。
【０００３】
別の実施形態において、本発明はモノマー、特にスチレン、の重合を抑制及び阻害する添加剤組成物の使用に関する。
【背景技術】
【０００４】
発明の背景：
モノマーの、特に処理中のスチレンの重合は懸案事項であるが、なぜかというと望まないポリマーの形成を起こし、結果として最終生成物の収率の損失となり、プロセスを不経済なものにするからである。
【０００５】
当該技術においてスチレンの重合の問題を克服するための阻害剤及び遅延剤及びそれらの組み合わせの使用が報告されていた。
【０００６】
阻害剤単独を使用する問題は、阻害剤は継続的にもしくは一定間隔で添加しなければならないということである。なぜならばいったん阻害剤が消費されると、重合が再び開始するからである。
【０００７】
遅延剤を使用する問題は、遅延剤はスチレンの重合を実質的な阻害のレベルまでもしくは阻害の許容可能なレベルまで減らすのにあまり有効でないことである。
【０００８】
先行技術は重合阻害剤としてキノンメチド（QM）の使用を開示する。他方、本発明者が見出したのであるが（実施例を参照）、キノンメチドを使用する主たる問題は、阻害の許容可能なレベルを達成するにはより大量のキノンメチドを使用しなければならないということ、及びそのような大量の使用はプロセスのコストの増加をもたらすだけでなく、キノンメチドの不安定な性質のため望まない生成物の形成をももたらすことである。
【０００９】
先行技術はまたスチレン重合阻害剤としてキノンメチド及び４HT（４−ヒドロキシｔｅｍｐｏ−２，２，６，６−テトラメチル−１−オキシド）を有するキノンメチド系組成物を提案している。他方、本発明者が発見したのであるが（実施例を参照）、この周知のキノンメチドの組成物を使用する主たる問題は、大量の使用においても重合の問題は許容可能なレベルまで解消しないことである。
【００１０】
先行技術（特許文献１）は阻害剤と遅延剤との組み合わせの使用を開示している。そこでの阻害剤はアルキルヒドロキシルアミンからなる重合阻害剤であり、遅延剤は７−置換キノンメチドである。この組成物の主たる問題は、組成物が継続的に消費され且つ次第に使い果たされてしまう阻害剤を使用することである。よって阻害剤は継続的にもしくは断続的に添加されなければならない、もしくはシステム中に阻害剤の適切量が維持されることを少なくとも確実にしなければならない（特許文献１の第４欄、７〜１３行目）。
先行技術D1（特許文献２）は、キノンメチド４−ベンジリデン−２，６−ジ−ｔｅｒｔ−ブチル−シクロヘキサ−２，５−ジエノン（QM）、ヒドロキシルアミン及びカテコール（これは４−ｔｅｒｔ−ブチルカテコール（TBC）である）を有する、スチレンの重合を抑制及び阻害する添加剤組成物を開示する（D1の要約、段落０００９、００１９、００２４、実施例、表１、請求項１、請求項１０について）。
先行技術D2（特許文献３）はQMとの組み合わせにおけるフェニレンジアミンの使用を開示する（D2の実施例３、段落番号0033について）。
先行技術D3（特許文献４）は酸化型アミンを開示するが、メチドと酸化型アミンの組み合わせを開示も示唆もしていない。
【先行技術文献】
【００１１】
【特許文献１】  ＵＳ７６５１６３５Ｂ１号
【特許文献２】  US２００４／０３４２４７Ａ１号
【特許文献３】  US２００６／２０２００８９Ａ１号
【特許文献４】  ＵＳ６３４２６４８Ｂ１号
本発明によれば「スチレンの重合の阻害の許容可能なレベル」は、スチレンの少なくとも９８．５％、好ましくは少なくとも９９％の重合の阻害であり、即ちスチレンの１．５％までしか、特に１％までしか重合しないことである。
【発明の概要】
【００１２】
本発明の需要：
したがって、スチレンの重合の実質的な抑制と阻害に適しているだけでなく、きわめて低い投入量をも要求される添加剤組成物の要求が依然としてある。
【００１３】
スチレンの重合の実質的な抑制と阻害に適した、特にきわめて低い投入量での添加剤組成物の製造方法を有することへの要求もある。
【００１４】
さらにスチレンの重合を実質的に抑制及び阻害する添加剤組成物の特にきわめて低い投入量での使用方法を有することへの要求がある。
【発明が解決しようとする課題】
【００１５】
したがって、本発明は、スチレンの重合の実質的な抑制と阻害に適しているだけでなく、きわめて低い投入量をも要求される添加剤組成物を提供することにより上述の目下の産業上の問題の解決策を提供することを目的とする。
【００１６】
本発明は、スチレンの重合の実質的な抑制と阻害に適した、特にきわめて低い投入量での添加剤組成物の製造方法を提供することにより上述の目下の産業上の問題の解決策を提供することをも目的とする。
【００１７】
本発明は、スチレンの重合を実質的に抑制及び阻害する添加剤組成物の特にきわめて低い投入量での使用方法を提供することにより上述の目下の産業上の問題の解決策を提供することをも目的とする。
【課題を解決するための手段】
【００１８】
本発明の目的：
したがって本発明の主たる目的は、スチレンの重合の実質的な抑制と阻害に適しているだけでなく、スチレンの重合の阻害が同レベルもしくはより優れたレベルを達成するための先行技術の添加剤の投入量と比較してきわめて低い投入量をも要求される添加剤組成物を提供することである。
【００１９】
本発明の他の目的は、スチレンの重合の実質的な抑制と阻害に適した、スチレンの重合の阻害が同レベルもしくはより優れたレベルを達成するための先行技術の添加剤の投入量と比較して特にきわめて低い投入量での添加剤組成物の製造方法を提供することである。
【００２０】
さらに本発明の他の目的は、スチレンの重合を実質的に抑制及び阻害する添加剤組成物の、スチレンの重合の阻害が同レベルもしくはより優れたレベルを達成するための先行技術の添加剤の投入量と比較して特にきわめて低い投入量での使用方法を提供することである。
【００２１】
本発明は、重合阻害の許容可能なレベルを提供できる、即ちスチレンの重合の阻害が同レベルもしくはより優れたレベルを達成するための先行技術の添加剤の投入量と比較して低い有効投入量においてさえもスチレンを含むモノマーの重合を減らせる、添加剤組成物を提供することを目的とする。
【００２２】
本発明は、スチレンの重合の阻害が同レベルもしくはより優れたレベルを達成するための先行技術の添加剤の投入量と比較して低い有効投入量においてさえも、スチレンを含むモノマーの重合を１．５％未満に、特に１．０％未満に、実質的に減らすのに適当である添加剤組成物を提供することを目的とする。
【発明の効果】
【００２３】
本発明は、添加剤組成物を提供することを目的とするが、ここでは当該添加剤組成物においてキノンメチドの量は減らされており、したがって本発明の組成物は経済的である。キノンメチドは高価であり、容易に入手可能ではない。
【００２４】
本発明の他の目的及び利点は、本発明の範囲を制限することを意図しない実施例と関連付けて読むならば、以下の説明からより明らかになるであろう。
【発明を実施するための形態】
【００２５】
本発明の説明及び好ましい実施形態：
先行技術の上述の問題を克服する及び本発明の上述の目的を達成するという意図により、本発明者は、本発明の重合非阻害アミン及びキノンメチドを有する組成物を使用した場合、スチレンの重合が驚くべきこと且つ意外にも実質的に（ここで定義される）許容可能なレベルに抑制且つ阻害されることを発見した。
【００２６】
さらに驚くべき且つ意外であることは、本発明の重合非阻害アミンのいくつかは約ゼロの（実質ゼロ％の）スチレン重合という結果となること、即ち約１００％の限度までスチレン重合を抑制及び阻害可能であることが分かったこと、及び本発明の重合非阻害アミンのいくつかは約１％のスチレン重合という結果となり、即ち約９９％の限度までスチレン重合を抑制及び阻害可能であること（これは実質的に高いスチレン重合の抑制及び阻害である）が分かったことである。
【００２７】
したがって、本発明はスチレンの重合を抑制及び阻害する添加剤組成物に関する。ここで組成物はアミン及びキノンメチドを有し、及び前記アミンは重合非阻害剤アミンである。
【００２８】
用語「アミンは重合非阻害剤アミンである」とは、先行技術の開示及び教示に反して、アミンそれ自体はスチレンの重合を許容可能なレベルに阻害可能ではないことを意味する。本発明の重合非阻害アミンはアミンなしで実行したブランクの実施例についての１９．６６％スチレン重合と比較して約１４乃至１８％のスチレン重合という実質的に高い重合の結果となる（表２を参照）ことが分かった。それゆえ本発明の「アミン」は「重合非阻害剤アミン」と名付ける。
【００２９】
本発明の実施形態の一つによれば、重合非阻害アミンはトリイソプロパノールアミン（ＴＩＰＡ）、プロポキル化エチレンジアミン（ＰＥＤ）、トリエタノールアミン（ＴＥＡ）、トリブチルアミン（ＴＢＡ）、ジエタノールアミン（ＤＥＡ）、モノエタノールアミン（ＭＥＡ）及びこれらの組み合わせからなるからなるグループから選択される。
【００３０】
本発明の好ましい実施形態によれば、重合非阻害アミンはトリイソプロパノールアミン（ＴＩＰＡ）である。
【００３１】
本発明の好ましい実施形態の一つによれば、重合非阻害アミンはプロポキル化エチレンジアミン（ＰＥＤ）である。
【００３２】
本発明の別の好ましい実施形態によれば、重合非阻害アミンはトリブチルアミン（ＴＢＡ）である。
【００３３】
本発明のさらに別の好ましい実施形態によれば、重合非阻害アミンはジエタノールアミン（ＤＥＡ）である。
【００３４】
本発明のさらに別の好ましい実施形態によれば、重合非阻害アミンはトリエタノールアミン（ＴＥＡ）である。
【００３５】
本発明のさらに別の好ましい実施形態によれば、重合非阻害アミンはモノエタノールアミン（ＭＥＡ）である。
【００３６】
本発明の好ましい実施形態の一つによれば、プロポキル化エチレンジアミン（ＰＥＤ）はBASFから商品名Ｑｕａｄｒｏｌ２０４（登録商標）で入手可能なものである。しかしながら本発明はＱｕａｄｒｏｌ２０４（登録商標）に限定されない。
【００３７】
本発明者は、酸化物処理したアミンの誘導体を本発明組成物で使用する場合、そのアミンの効率は驚くべきこと且つ意外にもさらに向上することをも発見した。本発明者は、当該酸化物処理したアミンの誘導体は酸化エチレン、酸化プロピレン及び酸化ブチレン処理したアミンの誘導体を包含することを確認している。
【００３８】
したがって一実施形態において、本発明は酸化物処理したアミンの誘導体及びキノンメチドを有する、スチレンの重合を抑制及び阻害する添加剤組成物にも関わる。ここでアミンは重合非阻害剤アミンである。
【００３９】
本発明の好ましい実施形態の一つによれば、酸化物処理したアミンの誘導体は、酸化エチレン、酸化プロピレン及び酸化ブチレン処理したアミンの誘導体からなるグループから選択される。
【００４０】
本発明の好ましい実施形態の一つによれば、酸化物処理したアミン誘導体はN,N,ジｓｅｃ−ブチル−パラ−フェニレンジアミンのエトキシル化（酸化エチレン処理した）誘導体（ＵＯＰ５＋ＥＯ）である。
【００４１】
本発明の好ましい実施形態の一つによれば、組成物は当該アミンもしくは酸化物処理したアミンの誘導体約５０％までを有してよい。しかしながら驚くべきこと且つ意外にも、当該アミンもしくは酸化物処理したアミンの誘導体のパーセント量約１５％を超えて、特に約１０％を超えて増やしたとき、当該アミンもしくは酸化物処理したアミンの誘導体を有する組成物の効率が当該アミンもしくは酸化物処理したアミンの誘導体のパーセント量の増加により減り始めることが分かった。しかしながら、わずかに高い投入量において、例えば約３００ｐｐｍの投入量において、依然として望ましい許容可能な効率が与えられる。
【００４２】
したがって本発明の実施形態の一つによれば、当該組成物のキノンメチド及び重合非阻害アミンもしくは酸化物処理したアミンの誘導体は、約９９：１乃至５０：５０のパーセント比で使用される。
【００４３】
さらに本発明のより好ましい実施形態によれば、当該組成物のキノンメチド及び重合非阻害アミンもしくは酸化物処理したアミンの誘導体は、約９９：１乃至約９０：１０のパーセント比で使用される。
【００４４】
なおさらに好ましい実施形態によれば、当該組成物のキノンメチド及び重合非阻害アミンもしくは酸化物処理したアミンの誘導体は、約９５：５乃至約９０：１０のパーセント比で使用される。当該組成物は、驚くべきこと且つ意外にもその成分比率のこの範囲においてスチレンの重合を抑制及び阻害のための最良の効率を与えることが分かった。
【００４５】
したがって本発明によれば、重合非阻害アミンもしくは酸化物処理したアミンの誘導体は、全組成物の約５０％以下の量において使用され、本発明の好ましい実施形態によれば、重合非阻害アミンもしくは酸化物処理したアミンの誘導体は、全組成物の約１５％以下の量において使用され、本発明のより好ましい実施形態によれば、重合非阻害アミンもしくは酸化物処理したアミンの誘導体は、全組成物の約1０％以下の量において使用され、本発明の好ましい実施形態によれば、本発明のなおさらに好ましい実施形態によれば、キノンメチド及び重合非阻害アミンもしくは酸化物処理したアミンの誘導体は、約９５：５乃至約９０：１０のパーセント比で使用される。
【００４６】
本発明の実施形態の一つによれば、スチレンの重合は、驚くべきこと且つ意外にもキノンメチド単独を使用するとき約３．５％から、キノンメチド及び重合非阻害アミンもしくは酸化物処理したアミンの誘導体を有する本発明の組成物を使用するとき約０〜１％まで、減少する。すなわち、キノンメチドのスチレンの重合を制御及び阻害する能力は、低投入量においてさえ、驚くべきこと且つ意外にも、キノンメチド及び重合非阻害アミンもしくは酸化物処理したアミンの誘導体を有する本発明の組成物を使用するとき約９６．５％から約９９〜１００％まで増加する。このような実質的（ｓｕｂｓｔａｎｔｉａｌ）向上は、本発明の組成物により約２００ｐｐｍというきわめて低投入量においてさえ、達成された。スチレン重合の問題及びプロセスの経済性を考慮すると、当該組成物使用におけるこのような向上は実質的な向上である。発明者は、スチレンの重合を約３．５％からゼロ（実質的にゼロ％）重合まで減ずるには、当該組成物の投入量よりも２倍の投入量のキノンメチドを使用しなければならないだろうことを、発見した。よって、当該組成物はスチレンの重合を阻害するプロセスのコストを減ずるだけでなく、窒素濃度をも減ずる。これらの予期しない発見は、キノンメチド及び重合非阻害アミンもしくは酸化物処理したアミンの誘導体を有する本発明の組成物の相乗効果を確認する。
【００４７】
さらに驚くべきこと且つ意外なことは、当該組成物がキノンメチド及び重合非阻害アミンもしくは酸化物処理したアミンの誘導体を約９０：１０のパーセント比で有するとき、組成物約２００ｐｐｍというきわめて低投入量において、スチレンの重合の実質的な抑制及び阻害が達成された、ということである。
【００４８】
ここに記載されているように、なおさらに驚くべきこと且つ意外なことは、本発明の重合非阻害アミンもしくは酸化物処理したアミンの誘導体のパーセント量を当該組成物の１５%より多く、特に１０％より多くすると、当該組成物のスチレン重合を抑制及び阻害する効率は、驚くべきこと且つ意外にも減ずるが、しかしそれは依然として許容可能な範囲内であり、意外にもQuadrolの場合、効率はより大きく減少する。
【００４９】
本発明は、１００％までスチレンの重合を抑制及び阻害するための新規組成物を提供することに加え、特にキノンメチドと組み合わせたときに、全てのアミンが同じようにふるまうのではないことをも確認する。
【００５０】
一実施形態において、本発明はスチレンの重合を抑制及び阻害する添加剤組成物の製造方法に関わり、当該方法において添加剤組成物は、キノンメチド及び本発明のアミンを混合することにより調製され、及びここで前記アミンは重合非阻害剤アミンである。
【００５１】
本発明の実施形態の一つによれば、前記重合非阻害アミンは、トリイソプロパノールアミン（TIPA）、プロポキシル化エチレンジアミン（PED）、トリエタノールアミン（TEA）、トリブチルアミン（TBA）、ジエタノールアミン（DEA）、モノエタノールアミン（MEA）及びこれらの組み合わせからなるグループから選択される。
【００５２】
本発明の好ましい実施形態によれば、重合非阻害アミンはトリイソプロパノールアミン（TIPA）である。
【００５３】
本発明の好ましい実施形態の一つによれば、重合非阻害アミンはプロポキシル化エチレンジアミン（PED）である。
【００５４】
本発明の別の好ましい実施形態によれば、重合非阻害アミンはトリブチルアミン（TBA）である。
【００５５】
本発明のさらに別の好ましい実施形態によれば、重合非阻害アミンはジエタノールアミン（DEA）である。
【００５６】
本発明のさらに別の好ましい実施形態によれば、重合非阻害アミンはトリエタノールアミン（TEA）である。
【００５７】
本発明のさらに好ましい実施形態によれば、重合非阻害アミンはモノエタノールアミン（MEA）である。
【００５８】
本発明の好ましい実施形態の一つによれば、プロポキシル化エチレンジアミン（PED）はBASFから商品名Ｑｕａｄｒｏｌ  ２０４（登録商標）で入手可能なものである。しかしながら、本発明はＱｕａｄｒｏｌ  ２０４（登録商標）に限定されない。
【００５９】
本発明者はまた、酸化物処理したアミンの誘導体を当該組成物の製造に使用する場合、アミンがスチレンの重合を阻害する効率は、驚くべきこと且つ意外にも、さらに向上することを見出した。
【００６０】
よって、本発明の一実施形態において、本発明は、キノンメチド及び酸化物処理したアミンの誘導体を混合することを含む、スチレンの重合を抑制及び阻害する添加剤組成物の製造方法に関わり、ここでアミンは重合非阻害剤アミンである。
【００６１】
本発明の好ましい実施形態の一つによれば、酸化物処理したアミンの誘導体は、酸化エチレン、酸化プロピレン及び酸化ブチレン処理したアミンの誘導体からなるグループから選択される。
【００６２】
本発明の好ましい実施形態の一つによれば、酸化物処理したアミンの誘導体は、N,N,ジｓｅｃ−ブチル−パラ−フェニレンジアミンのエトキシル化（酸化エチレン処理した）誘導体（ＵＯＰ５＋ＥＯ）である。
【００６３】
本発明の好ましい実施形態の一つによれば、キノンメチド及び重合非阻害アミンもしくは酸化物処理したアミンの誘導体は、約９９：１乃至約５０：５０のパーセント比で混合される。
【００６４】
本発明の好ましい実施形態の一つによれば、キノンメチド及び重合非阻害アミンもしくは酸化物処理したアミンの誘導体は、約９９：１乃至約８５：１５のパーセント比で混合される。
【００６５】
本発明のより好ましい実施形態の一つによれば、キノンメチド及び重合非阻害アミンもしくは酸化物処理したアミンの誘導体は、約９９：１乃至約９0：１0のパーセント比で混合される。
【００６６】
本発明のさらにより好ましい実施形態の一つによれば、キノンメチド及び重合非阻害アミンもしくは酸化物処理したアミンの誘導体は、約９５：５乃至約９0：１0のパーセント比で混合される。
【００６７】
別の実施形態において、本発明はスチレンの重合を抑制及び阻害する添加剤組成物の使用に関わり、当該使用において添加剤組成物はアミン及びキノンメチドを有し、ここでアミンは重合非阻害剤アミンである。
【００６８】
本発明の実施形態の一つによれば、前記重合非阻害アミンは、トリイソプロパノールアミン（TIPA）、プロポキシル化エチレンジアミン（PED）、トリエタノールアミン（TEA）、トリブチルアミン（TBA）、ジエタノールアミン（DEA）、モノエタノールアミン（MEA）及びこれらの組み合わせからなるグループから選択される。
【００６９】
本発明の好ましい実施形態によれば、重合非阻害アミンはトリイソプロパノールアミン（TIPA）である。
【００７０】
本発明の好ましい実施形態の一つによれば、重合非阻害アミンはプロポキシル化エチレンジアミン（PED）である。
【００７１】
本発明の別の好ましい実施形態によれば、重合非阻害アミンはトリブチルアミン（TBA）である。
【００７２】
本発明のさらに別の好ましい実施形態によれば、重合非阻害アミンはジエタノールアミン（DEA）である。
【００７３】
本発明のさらに別の好ましい実施形態によれば、重合非阻害アミンはトリエタノールアミン（TEA）である。
【００７４】
本発明のさらに好ましい実施形態によれば、重合非阻害アミンはモノエタノールアミン（MEA）である。
【００７５】
本発明の好ましい実施形態の一つによれば、プロポキシル化エチレンジアミン（PED）はBASFから商品名Ｑｕａｄｒｏｌ  ２０４（登録商標）で入手可能なものである。しかしながら、本発明はＱｕａｄｒｏｌ  ２０４（登録商標）に限定されない。
【００７６】
本発明者はまた、スチレン重合を抑制及び阻害する本発明の組成物において酸化物処理したアミンの誘導体を使用する場合、アミンの効率は、驚くべきこと且つ意外にも、さらに向上することを見出した。
【００７７】
したがって別の実施形態において本発明は、スチレン重合を抑制及び阻害する添加剤組成物の使用に関わり、当該使用において添加剤組成物は酸化物処理したアミンの誘導体及びキノンメチドを有し、ここでアミンは重合非阻害剤アミンである。
【００７８】
本発明の好ましい実施形態の一つによれば、酸化物処理したアミンの誘導体は、酸化エチレン、酸化プロピレン及び酸化ブチレン処理したアミンの誘導体からなるグループから選択される。
【００７９】
本発明の好ましい実施形態の一つによれば、酸化物処理したアミン誘導体はN,N,ジｓｅｃ−ブチル−パラ−フェニレンジアミンのエトキシル化（酸化エチレン処理した）誘導体（ＵＯＰ５＋ＥＯ）である。
【００８０】
本発明の実施形態の一つによれば、キノンメチド及び重合非阻害アミンもしくは酸化物処理したアミンの誘導体は、約９９：１乃至５０：５０のパーセント比で使用される。
【００８１】
本発明の好ましい実施形態の一つによれば、キノンメチド及び重合非阻害アミンもしくは酸化物処理したアミンの誘導体は、約９９：１乃至約８５：１５のパーセント比で使用される。
【００８２】
本発明のさらに好ましい実施形態の一つによれば、キノンメチド及び重合非阻害アミンもしくは酸化物処理したアミンの誘導体は、約９９：1乃至約９０：１０のパーセント比で使用される。
【００８３】
本発明のなおさらに好ましい実施形態の一つによれば、キノンメチド及び重合非阻害アミンもしくは酸化物処理したアミンの誘導体は、約９５：５乃至約９０：１０のパーセント比で使用される。
【００８４】
本発明によれば、キノンメチドは４−ベンジリデン−２，６−ジ−ｔｅｒｔ−ブチルシクロヘキサ−２，５ジエノンである
本発明によれば、本発明の添加剤組成物はその成分を混合した後に、すなわち事前ブレンドした組成物として使用してよい。又は組成物の各成分をスチレンの処理ユニットに別々に添加してもよい。
【００８５】
したがって一実施形態において、本発明はスチレンの重合を抑制及び阻害する本発明の添加剤組成物を使用方法に関わり、ここで当該方法はキノンメチド及び重合非阻害アミンもしくは酸化物処理したアミンの誘導体の混合物からなる組成物をここに記載されたようなパーセント比でスチレン重合の反応装置に添加することを有する。
【００８６】
したがって一実施形態において、本発明はスチレンの重合を抑制及び阻害するための本発明の添加剤組成物を使用する方法に関わり、ここで当該方法は前記添加剤組成物の成分ａ）キノンメチド及び成分ｂ）前記アミンもしくは前記酸化物処理したアミンの誘導体をここで記載したパーセント比でスチレン重合の反応装置に別々に添加することを有する。
【００８７】
処理もしくは製造ユニットにおけるスチレンの連続フローの条件を満たすために、成分を連続的に添加してもよい。処理ユニットに直接添加しても、または芳香族溶剤もしくは希釈剤を包含してよい適当な溶剤もしくは希釈剤に溶解してから添加してもよい。プロセスの始まりにおいて又は製造プロセスが開始してしまってからのいずれかに、添加してもよい。
【００８８】
本発明によれば、スチレンの重合での反応材料の重量に基づき、当該組成物約１乃至１２００ｐｐｍ、特に約１乃至４００ｐｐｍ、さらに特に約１５０乃至３００ｐｐｍ、具体的には約２００乃至３００ｐｐｍを添加してよい。
【００８９】
本発明によれば、添加剤組成物を約６０乃至１７０℃、特に約９０乃至１４０℃の温度範囲で使用もしくは利用してよい。
【００９０】
「約９９：１乃至５０：５０のパーセント比で使用される」などの表現は、９９：１及び５０：５０の比、等を包含することを意図していることに注意する。
【００９１】
「パーセント比で」とは特に注記されていなければ「重量パーセント比で」もしくは「重量によるパーセント比で」を意味することに注意する。
【実施例】
【００９２】
ここで本発明を、本発明の範囲を限定することを意図しない以下の実施例により説明する。
実験：
蒸留したスチレン１０ｇ及び必要なアミンを、温度計、窒素の入り口及び出口を備える反応装置に取り入れる。適当な撹拌を確実にするため十分なN2フローを維持する。反応装置の内容物を連続窒素フロー下２時間１２０℃に加熱する。２時間後、反応装置を砕いた氷に浸すことにより１０℃より下に冷却する。反応装置の内容物を次いでメタノールを収容するビーカーへ注ぐ。得られた沈殿物を濾過、メタノールを除去するため乾燥、及び秤量する。１．５〜２ｇ冷却（chilled）重合のため、メタノール約８０ｇをスチレン溶液中に形成されるポリマーを沈殿させるのに使用した。沈殿の重さを以下の表では形成された％ポリマーとして報告する。スチレンは使用前に安定剤を除去するように精製した。
実施例―ブランク及び先行技術添加剤―キノンメチド：
ブランクリーディング（reading）を得るため、添加剤なしで上記の実験を実施する。
【００９３】
比較目的で、１５０ｐｐｍ乃至４００ｐｐｍの様々な有効投入量について、先行技術添加剤、キノンメチド（４−ベンジリデン−２，６−ジ−Tert−ブチルシクロヘキサ−２，５−ジエノン）、による上記の実験を実施する。
【００９４】
【表１】
0005759073.tif 000002
上の表１からわかるように、先行技術添加剤キノンメチドは、ゼロ％（実質的にゼロ％）であるスチレン重合を有する４００ｐｐｍの投入において最良の効率、及び０．１４％であるスチレン重合を有する３５０ｐｐｍにおいて、及び０．６０％であるスチレン重合を有する３００ｐｐｍにおいて許容可能な効率を示し、即ちポリマー濃度は１．０％未満に維持される。キノンメチド投入量を２５０ｐｐｍに減らしたとき、スチレン重合は２．３５％に増加し、キノンメチドの投入量をさらに２００ｐｐｍに減らしたとき、スチレン重合はさらに３．５％に増加し、キノンメチド投入量をさらに１５０ｐｐｍに減らしたとき、スチレン重合は実質的に７．２４％に増加し、キノンメチドの投入量をさらに１００ｐｐｍに減らしたとき、スチレン重合は実質的に９．６％に増加した。従って、キノンメチドは低投入量においては適当でないことが観察される。
当該組成物のアミンそれ自体による実施例：
本発明のアミンそれ自体がスチレン重合を阻害可能であるかどうかを知るために、これらのアミンそれ自体による上記の実験を２００ｐｐｍにおいて実施する。データは表２にある。
【００９５】
【表２】
0005759073.tif 000003
上記表２からわかるように、約２００ｐｐｍの投入量における本発明の全てのアミンそれ自体は、スチレン重合約１４．６４％乃至１７．８０％という結果になり、これはブランク実験のデータと比較して、本発明のアミンそれ自体はスチレン重合を阻害可能ではないことを証明しており、従って本発明のアミンは重合非阻害アミンと名付けられた。
【００９６】
上の知見に鑑み、引き続く実験において、先行技術添加剤に対して本発明組成物の効率を比較するために、添加剤組成物の１００、２００及び３００ｐｐｍ、特に２００ｐｐｍ投入量が選択される。
先行技術組成物に対する本発明組成物による実施例：
本発明の組成物の阻害能力を知るために、本発明の様々なアミン及びキノンメチドを有する本発明の組成物について上記の実験を実施した。データは先行技術添加剤と比較した。
【００９７】
【表３】
0005759073.tif 000004
上の表３において、QMはキノンメチドであり、TIPAはトリイソプロパノールアミンであり、QuadrolはBASFから商品名Ｑｕａｄｒｏｌ２０４（登録商標）で入手可能なプロポキシル化エチレンジアミンであり、TBAはトリブチルアミンであり、DEAはジエタノールアミンであり、TEAはトリエタノールアミンであり、MEAはモノエタノールアミン、及び４HTは４−ヒドロキシ−ｔｅｍｐｏ−２，２，６，６−テトラメチル−１−オキシドである。
【００９８】
上の表３において、組成物QM＋ＴＩＰＡ、ＱＭ＋Ｑｕａｄｒｏｌ、ＱＭ＋ＴＢＡ、ＱＭ＋ＤＥＡ、ＱＭ＋ＴＥＡ、ＱＭ＋ＭＥＡは本発明の組成物であり、ＱＭ＋４HTは先行技術組成物である。
【００９９】
上の表３からわかるように、本発明の組成物QM＋ＴＩＰＡ及びＱＭ＋Ｑｕａｄｒｏｌはすべてのパーセント比で２００ｐｐｍ投入量において、先行技術添加剤キノンメチド（表１）、アミンそれ自体（表２）及びQM及び４HTの先行技術組成物（表３の最後の欄）よりもはるかに優れている。９０：１０のパーセント比における本発明の組成物QM＋ＴＩＰＡ及びＱＭ＋Ｑｕａｄｒｏｌは、２００ｐｐｍの有効投入量においてスチレン重合阻害について実質的に優れた効率を示すこともわかる。スチレンの約０乃至０．０７％だけが本発明のこれらの組成物２００ｐｐｍ投入量によって重合する。このことは、キノンメチドの２００ｐｐｍ投入量で約３．５％のスチレン重合の結果となる先行技術添加剤、１４．６４％のスチレン重合の結果となるQuadrol単独、約１６．１６〜１７．０８％のスチレン重合の結果となるTIPA単独、約１．６４％のスチレン重合の結果となるQM及び４HTの先行技術組成物に対して、実質的な向上である。
【０１００】
上の表３からわかるように、全てのパーセント比で２００ｐｐｍにおける本発明の組成物ＱＭ＋ＴＢＡ、ＱＭ＋ＤＥＡ及びＱＭ＋ＴＥＡは、先行技術添加剤キノンメチド（表１）、アミンそれ自体（表２）及びQM及び４HTの先行技術組成物（表３の最後の欄）よりもはるかに優れている。９０：１０のパーセント比における本発明の組成物ＱＭ＋ＴＢＡ、ＱＭ＋ＤＥＡ及びＱＭ＋ＴＥＡは、２００ｐｐｍの有効投入量においてスチレン重合阻害について実質的に優れた効率を示すこともわかる。本発明のこれらの組成物２００ｐｐｍ投入量によりスチレンの約０．３９乃至０．６９％だけが重合する。このことは、キノンメチドの２００ｐｐｍ投入量で約３．５％のスチレン重合の結果となる先行技術添加剤、１６．２１％のスチレン重合の結果となるTBA単独、約１５．２７％のスチレン重合の結果となるDEA単独、約１６．９％のスチレン重合の結果となるTEA単独、及び約１．６４％のスチレン重合の結果となるQM及び４HTの先行技術組成物に対して、実質的な向上である。
【０１０１】
上の表３からもわかることであるが、全てパーセント比で２００ｐｐｍ投入量における本発明の組成物QM＋MEAは、先行技術添加剤キノンメチド（表１）、アミンそれ自体（表２）及びQM及び４HTの先行技術組成物（表３の最後の欄）よりもはるかに優れている。９０：１０のパーセント比における本発明の組成物ＱＭ＋MＥＡは、２００ｐｐｍの有効投入量においてスチレン重合阻害について実質的に優れた効率を示すこともわかる。本発明のこの組成物２００ｐｐｍ投入量によりスチレンの約１．０４％だけが重合する。このことは、キノンメチドの２００ｐｐｍ投入量で約３．５％のスチレン重合の結果となる先行技術添加剤、１５．４７％のスチレン重合の結果となるMEA単独、及び約１．６４％のスチレン重合の結果となるQM及び４HTの先行技術組成物に対して、実質的な向上である。
【０１０２】
上の表３からわかるように、驚くべきこと且つ意外にも、本発明の重合非阻害アミンの単なる１％添加が、キノンメチドの重合阻害効率を実質的に向上させ、本発明の組成物の驚くべき効果を証明している。
【０１０３】
１００、２００及び３００ｐｐｍ投入量におけるQM及びTIPA、及びQM及びTBAを有する本発明組成物を、QM及びEDA(エチレンジアミン)、QM及びTEPA(テトラエチレンペンタアミン)、及びQM及びオクチルアミンを有する組成物とも比較した。結果は表４、５及び６にある。
【０１０４】
【表４】
0005759073.tif 000005
上の表４の実験データからわかるように、９９乃至９０％QM及び１乃至１０％TIPAからなる組成物のおおむね１００ｐｐｍは重合を約９．６％乃至約５．６６〜４．９５％減らすことができることが、確認される。同様に、９９乃至９０％QM及び１乃至１０％TBAからなる組成物のおおむね１００ｐｐｍは、重合を約９．６％乃至約７．９１〜７．４４％減らすことができる。しかしながら、アミン類EDA、TEPA及びオクチルアミンはスチレン重合を減らすことにおいて同様の効率を示さない。
【０１０５】
【表５】
0005759073.tif 000006
上の表５の実験データからわかるように、９９乃至９０％QM及び１乃至１０％TIPAからなる組成物のおおむね２００ｐｐｍは、重合を約９．６％乃至約０．３２〜０．０７％実質的に減らすことができることが、確認される。同様に、９９乃至９０％QM及び１乃至１０％TBAからなる組成物のおおむね２００ｐｐｍは、重合を約９．６％乃至約０．９１〜０．３９％実質的に減らすことができる。しかしながら、アミン類EDA、TEPA及びオクチルアミンはスチレン重合を減らすことにおいて同様の効率を示さない。
【０１０６】
【表６】
0005759073.tif 000007
上の表６の実験データからわかるように、９９乃至９０％QM及び１乃至１０％TIPAからなる組成物のおおむね３００ｐｐｍは、重合を約９．６％乃至約０．１７〜ゼロ％（実質的にゼロ％）実質的に減らすことができることが、確認される。同様に、９９乃至９０％QM及び１乃至１０％TBAからなる組成物のおおむね３００ｐｐｍは、重合を約９．６％乃至約０．４６〜０．２８％実質的に減らすことができる。アミン類EDA、TEPA及びオクチルアミンは３００ｐｐｍ投入量においてスチレン重合を減らすことにおいて同様の効率を示すが、しかしながら、上の表６からわかるように、本発明のTIPA及びTBAと比較した場合これらの効率は実質的に劣っている。
【０１０７】
上の表４、５及び６においてアミン類EDA、TEPA及びオクチルアミンは、QM及びTIPA、及びQM及びTBAを有する本発明組成物の１００、２００及び３００ｐｐｍ投入量と比較したことに、注意する。しかしながら、上の表３における実験的知見を顧慮したならば、QM及びQｕａｄｒｏｌ、及びＱＭ及びＤＥＡ、及びＱＭ及びＴＥＡ、及びＱＭ及びＭＥＡを有する本発明組成物さえも、組成物２００ｐｐｍ投入において証明されたのであるから、１００及び３００ｐｐｍ投入量での効率において同様の傾向を証明するであろう、と結論できる。
【０１０８】
上記表３、４、５及び６からもわかるように、驚くべきこと且つ意外にも、本発明重合非阻害アミンのパーセント量が当該組成物の１０％より多くなると、即ち本発明重合非阻害アミンの１５％を使用する場合、スチレン重合を抑制及び阻害する当該組成物の効率は、驚くべきこと且つ意外にも減少するが、それはQuadrolを除くすべてのアミンについて依然として許容可能な範囲内のままであり、このことはさらに予期せぬことであり、いまのところQuadrolのこの予期せぬ挙動についての理由は見つけられなかった。
【０１０９】
現在、本発明者は、QM及び選択されたアミンからなる組成物におけるそれらの百分率が１０％より上に増えた場合、全てのアミンの効率において驚くべき且つ予期せぬ突然の減少についての理由は特定できなかった。注意すべきは、本発明のアミン類TIPA及びTBAの効率における減少は他のアミンに比較してきわめて低いことである。
【０１１０】
上記実験による知見は明白に、本発明組成物の驚くべき且つ予期せぬ相乗的性質を確立している。
本発明組成物及び先行技術組成物による実施例：
本発明組成物の阻害能力を知るために、アミンのエトキシル化誘導体を有する本発明のさらなる実施形態（これはN,N,ジｓｅｃ−ブチル−パラ−フェニレンジアミンのエトキシル化誘導体（ＵＯＰ５＋ＥＯ）及びキノンメチド（QM）である）について、上記実験を実施した。実験による知見は、UOP5、UOP５＋EO（UOP５のエチルオキシル化誘導体）、QM及びN,N,ジｓｅｃ−ブチル−パラ−フェニレンジアミン（UOP5）、及びQM及び４HTを有する先行技術組成物と比較した。結果は表７にある。
【０１１１】
【表７】
0005759073.tif 000008
上記表７からわかるように、２００ｐｐｍ投入量で全てパーセント比における本発明の組成物QM+（UOP５＋EO）は、２００ｐｐｍでスチレン重合１７．８％の結果となるUOP５（表２）；発明者によって見出されたように、２００ｐｐｍにおいて（UOP５＋EO２．４モルによる）スチレン重合９．２５％の結果となるUOP5＋EO；２００ｐｐｍにおいてスチレン重合３．５％の結果となる先行技術添加剤キノンメチド（表１）；及びスチレン重合約３．１０乃至３．５０％の結果となるQM＋UOP５の先行技術組成物（表７の後ろから２番目の欄）；及びスチレン重合約１．６４乃至２．８２％の結果となるQM及び４HTの先行技術組成物（表７の最後の欄）よりもはるかに優れている。
【０１１２】
上記表７からもわかるように、９０：１０のパーセント比における本発明の組成物QM+（UOP５＋EO）は、２００ｐｐｍの有効投入量におけるスチレン重合阻害にたいして実質的に優れた効率を示す。スチレンの約０．５５％だけが本発明のこの組成物の２００ｐｐｍ投入において重合する。このことは、キノンメチドの２００ｐｐｍ投入量で約３．５％のスチレン重合の結果となる先行技術添加剤、約３．５１％のスチレン重合の結果となるQM及びUOP５の先行技術組成物、約１．６４％のスチレン重合の結果となるQM及び４HTの先行技術組成物に対して、実質的な向上である。現在、本発明者は、QM及び選択されたアミンからなる組成物におけるそれらの百分率が１０％より上に増えた場合、本発明の上記組成物の効率における驚くべき且つ予期せぬ突然の減少についての理由は特定できなかった。
【０１１３】
上記表７からもわかるように、驚くべき且つ意外にも、本発明UOP5のエトキシル化誘導体だけが、キノンメチドの重合阻害効率を実質的に向上させており、その驚くべき効果を確認している。
【０１１４】
上記の実験による知見は明白に、本発明組成物の驚くべき且つ予期せぬ相乗的性質を確立している。
【０１１５】
上記知見はまた、本発明組成物が、先行技術添加剤及び組成物よりも技術的利点及び驚くべき効果を有することを、確認している。